(57)【要約】【課題】シームレス表示が可能な薄型で明るい高画質な表示装置を提供する。【解決手段】表示パネルと、前記表示パネルの一面に斜めに光を入射させる光源と、表示パネルの他面側に配置された光学フィルムと、を備え、光学フィルムが、光透過性を有する基材と、基材の一面に互いに隣接して形成された複数の光透過性を有する突起部と、を備え、突起部同士の間には空隙部が形成されており、基材の他面が前記表示パネルの他面と対向しており、複数の突起部の各々が、基材側に光入射端面を有するとともに基材側と反対側に光射出端面を有し、且つ、空隙部と接する側面の少なくとも一部が、光入射端面の外側に向けて傾斜もしくは湾曲しており、表示パネルから斜め方向に射出された光を表示パネルの法線方向に向けて反射する。【選択図】図２
2014119562.tif 000002
【特許請求の範囲】
【請求項１】
表示パネルと、前記表示パネルの一面に斜めに光を入射させる光源と、前記表示パネルの他面側に配置された光学フィルムと、を備え、
前記光学フィルムが、光透過性を有する基材と、前記基材の一面に互いに隣接して形成された複数の光透過性を有する突起部と、を備え、
前記突起部同士の間には空隙部が形成されており、
前記基材の他面が前記表示パネルの他面と対向しており、
前記複数の突起部の各々が、前記基材側に光入射端面を有するとともに前記基材側と反対側に光射出端面を有し、且つ、前記空隙部と接する側面の少なくとも一部が、前記光入射端面の外側に向けて傾斜もしくは湾曲しており、前記表示パネルから斜め方向に射出された前記光を前記表示パネルの法線方向に向けて反射する表示装置。
【請求項２】
前記基材の一面において前記突起部の形成領域以外の領域に遮光層が形成されている請求項１に記載の表示装置。
【請求項３】
前記突起部が、前記光源から前記表示パネルに入射する光の指向性の強い方位角方向と直交する方向に概ね長手方向を有している請求項１または２に記載の表示装置。
【請求項４】
前記複数の突起部には、側面の傾斜角が互いに異なる複数の突起部が含まれている請求項１から３までのいずれか１項に記載の表示装置。
【請求項５】
前記光学フィルムと前記表示パネルとが空気層を挟んで対向配置されている請求項１から４までのいずれか１項に記載の表示装置。
【発明の詳細な説明】
【技術分野】
【０００１】
本発明は、表示装置に関する。
【背景技術】
【０００２】
複数の表示パネルで構成されるマルチディスプレイシステムが提案されている。マルチディスプレイシステムにおいては、表示パネルの境界部（表示の継ぎ目）を見えにくくするシームレス技術が重要となる。例えば、非特許文献１では、表示パネルに斜めに光を入射させ、その光を表示パネルの上面に設置されたプリズムアレイで正面方向（表示パネルの法線方向）に折り曲げることにより、表示を横方向にスライドさせる技術が提案されている。非特許文献１では、この技術を用いて、隣接する２つの表示パネルの境界部を見えにくくしている。
【先行技術文献】
【非特許文献】
【０００３】
【非特許文献１】SID’12 24-2 Borderless Dual-Display Design and Optimization
【発明の概要】
【発明が解決しようとする課題】
【０００４】
非特許文献１では、光の屈折現象を利用して表示を横方向にスライドさせている。しかしながら、屈折では光を曲げられる角度が小さいため、プリズムアレイと表示パネルとの間隔を広げる必要があり、ディスプレイ全体の厚みが増すという問題がある。また、光の屈折に寄与する斜面は、光の進行方向に対して傾斜した面であるため、このような面に入射する光の割合を大きくことができず、正面方向の表示が暗くなるという問題がある。さらに、屈折に寄与する斜面以外の面に入射した光は、迷光の原因となり、画質の低下を招く。
【０００５】
本発明の目的は、シームレス表示が可能な薄型で明るい高画質な表示装置を提供することにある。
【課題を解決するための手段】
【０００６】
本発明の第１の形態の表示装置は、表示パネルと、前記表示パネルの一面に斜めに光を入射させる光源と、前記表示パネルの他面側に配置された光学フィルムと、を備え、前記光学フィルムが、光透過性を有する基材と、前記基材の一面に互いに隣接して形成された複数の光透過性を有する突起部と、を備え、前記突起部同士の間には空隙部が形成されており、前記基材の他面が前記表示パネルの他面と対向しており、前記複数の突起部の各々が、前記基材側に光入射端面を有するとともに前記基材側と反対側に光射出端面を有し、且つ、前記空隙部と接する側面の少なくとも一部が、前記光入射端面の外側に向けて傾斜もしくは湾曲しており、前記表示パネルから斜め方向に射出された前記光を前記表示パネルの法線方向に向けて反射する。
【０００７】
本発明の第２の形態の表示装置は、表示パネルと、前記表示パネルの一面に斜めに光を入射させる光源と、前記表示パネルの他面側に配置された光学フィルムと、を備え、前記光学フィルムが、光透過性を有する基材と、前記基材の一面に形成された光透過性を有する突起部と、を備え、前記突起部には複数の空隙部が互いに隣接して形成されており、前記突起部は、前記基材側に光入射端面を有するとともに前記基材側と反対側に光射出端面を有し、且つ、前記空隙部と接する側面の少なくとも一部が、前記光入射端面の外側に向けて傾斜もしくは湾曲しており、前記表示パネルから斜め方向に射出された前記光を前記表示パネルの法線方向に向けて反射する。
【０００８】
前記光学フィルムは、前記表示パネルを透過して前記基材の他面に斜めに入射した前記光を前記突起部の側面で全反射し、前記基材の法線方向から見たときの輝度が最も大きくなるような配光分布を有する光に変換してもよい。
【０００９】
前記光射出端面の面積が前記光入射端面の面積よりも大きくてもよい。
【００１０】
前記基材の一面において前記突起部の形成領域以外の領域に遮光層が形成されていてもよい。
【００１１】
前記突起部を挟んで前記基材とは反対側に、光透過性を有する保護フィルムが設けられていてもよい。
【００１２】
前記保護フィルムの内部に、可視光を散乱する散乱粒子が分散されていてもよい。
【００１３】
前記光学フィルムと前記表示パネルとが空気層を挟んで対向配置されていてもよい。
【００１４】
前記表示パネルは液晶パネルであり、前記表示パネルの液晶層に一定の電圧を印加した場合にコントラストが大きくなる方位角方向と、前記光源から前記表示パネルに入射する光の指向性の強い方位角方向と、が概ね一致していてもよい。
【００１５】
前記突起部が、前記光源から前記表示パネルに入射する光の指向性の強い方位角方向と直交する方向に概ね長手方向を有していてもよい。
【００１６】
前記複数の突起部には、側面の傾斜角が互いに異なる複数の突起部が含まれていてもよい。
【００１７】
本発明の第１の形態の光学フィルムは、光透過性を有する基材と、前記基材の一面に互いに隣接して形成された複数の光透過性を有する突起部と、を備え、前記突起部同士の間には空隙部が形成されており、前記複数の突起部の各々が、前記基材側に光入射端面を有するとともに前記基材側と反対側に光射出端面を有し、且つ、前記空隙部と接する側面の少なくとも一部が、前記光入射端面の外側に向けて傾斜もしくは湾曲している。
【００１８】
本発明の第２の形態の光学フィルムは、光透過性を有する基材と、前記基材の一面に形成された光透過性を有する突起部と、を備え、前記突起部には複数の空隙部が互いに隣接して形成されており、前記突起部は、前記基材側に光入射端面を有するとともに前記基材側と反対側に光射出端面を有し、且つ、前記空隙部と接する側面の少なくとも一部が、前記光入射端面の外側に向けて傾斜もしくは湾曲している。
【００１９】
前記基材の他面から斜めに入射した平行光を前記突起部の側面で全反射し、前記基材の法線方向から見たときの輝度が最も大きくなるような配光分布を有する光に変換してもよい。
【００２０】
前記光射出端面の面積が前記光入射端面の面積よりも大きくてもよい。
【００２１】
前記基材の一面において前記突起部の形成領域以外の領域に遮光層が形成されていてもよい。
【００２２】
前記突起部を挟んで前記基材とは反対側に、光透過性を有する保護フィルムが設けられていてもよい。
【００２３】
前記保護フィルムの内部に、可視光を散乱する散乱粒子が分散されていてもよい。
【００２４】
前記複数の突起部には、側面の傾斜角が互いに異なる複数の突起部が含まれていてもよい。
【発明の効果】
【００２５】
本発明によれば、シームレス表示が可能な薄型で明るい高画質な表示装置を提供することができる。
【図面の簡単な説明】
【００２６】
【図１】第１実施形態の液晶表示装置の概略構成を示す斜視図である。
【図２】液晶表示装置の断面図である。
【図３】液晶表示装置の斜視図である。
【図４】バックライトから射出された光が光学フィルムから射出されるまでの光路を説明するための図である。
【図５】透過軸の配置を説明するための斜視図である。
【図６】液晶分子の捩れ方向を説明するための図である。
【図７】極角と方位角の定義を説明するための図である。
【図８】液晶パネルの正面図である。
【図９】液晶パネルにおける白表示時のコントラスト視野角特性を示す図である。
【図１０】（ａ）〜（ｄ）光学フィルムの製造方法の一例を示す図である。
【図１１】（ａ）、（ｂ）光学フィルムの作用を説明するための図である。
【図１２】（ａ）〜（ｃ）突起部と空隙部の平面形状のバリエーションを示す平面図である。
【図１３】（ａ）、（ｂ）光学フィルムの製造方法のバリエーションを示す図である。
【図１４】（ａ）、（ｂ）光学フィルムの作用を説明するための図である。
【図１５】第４実施形態の液晶表示装置の概略構成を示す断面図である。
【図１６】（ａ）、（ｂ）バックライトの断面図である。
【図１７】第５実施形態の液晶パネルにおける透過軸の配置を説明するための斜視図である。
【図１８】液晶パネルにおける配向分割構造を示す図である。
【図１９】液晶パネルにおけるコントラスト視野角特性を示す図である。
【図２０】第６実施形態の液晶表示装置の概略構成を示す断面図である。
【図２１】バックライトから射出された光が光学フィルムから射出されるまでの光路を説明するための図である。
【図２２】第７実施形態の液晶表示装置の概略構成を示す斜視図である。
【図２３】液晶表示装置の断面図である。
【図２４】第８実施形態の液晶表示装置の概略構成を示す斜視図である。
【図２５】（ａ）〜（ｄ）液晶表示装置の断面図である。
【図２６】（ａ）、（ｂ）光学フィルムの作用を説明するための図である。
【図２７】突起部の断面形状のバリエーションを示す断面図である。
【図２８】突起部の断面形状のバリエーションを示す断面図である。
【図２９】突起部の断面形状のバリエーションを示す断面図である。
【発明を実施するための形態】
【００２７】
［第１実施形態］
以下、本発明の第１実施形態について、図１〜図１１を用いて説明する。
本実施形態では、透過型の液晶パネルを備えた液晶表示装置の例を挙げて説明する。
液晶パネルは特許請求の範囲に記載の「表示パネル」に対応し、液晶表示装置は特許請求の範囲に記載の「表示装置」に対応する。
なお、以下の全ての図面においては、各構成要素を見やすくするため、構成要素によって寸法の縮尺を異ならせて示すことがある。
【００２８】
図１は本実施形態の液晶表示装置１を斜め上方（視認側）から見た斜視図である。図２は液晶表示装置１の断面図である。
本実施形態の液晶表示装置１は、図１及び図２に示すように、液晶パネル２と、バックライト８と、光学フィルム９と、を備えている。液晶パネル２は、第１偏光板３と、第１位相差フィルム４と、液晶セル５と、第２位相差フィルム６と、第２偏光板７と、を備えている。図１では、液晶セル５を模式的に１枚の板状に図示している。
バックライトは特許請求の範囲に記載の「光源」に対応する。
【００２９】
観察者は、光学フィルム９が配置された図１における液晶表示装置１の上側から表示を見ることになる。以下の説明では、光学フィルム９が配置された側を視認側と称する。バックライト８が配置された側を背面側と称する。また、以下の説明において、ｘ軸は液晶表示装置の画面の水平方向、ｙ軸は液晶表示装置の画面の垂直方向、ｚ軸は液晶表示装置の厚さ方向、と定義する。
【００３０】
本実施形態の液晶表示装置１においては、バックライト８から射出された光を液晶パネル２で変調し、変調した光によって所定の画像や文字等を表示する。
【００３１】
本実施形態の液晶表示装置１においては、アクティブマトリクス方式の透過型液晶パネルを用いる。
【００３２】
尚、液晶パネルはアクティブマトリクス方式の透過型液晶パネルに限るものではない。例えば、半透過型（透過・反射兼用型）液晶パネルであっても良い。さらには、各画素がスイッチング用薄膜トランジスタ（Thin Film Transistor, 以下、ＴＦＴと略記する）を備えていない単純マトリクス方式の液晶パネルであっても良い。
【００３３】
図２に示すように、液晶セル５は、ＴＦＴ基板１０と、カラーフィルター基板１１と、液晶層１２と、を有している。ＴＦＴ基板１０は、スイッチング素子基板として機能する。カラーフィルター基板１１は、ＴＦＴ基板１０に対向して配置されている。液晶層１２は、ＴＦＴ基板１０とカラーフィルター基板１１との間に挟持されている。
【００３４】
液晶層１２は、ＴＦＴ基板１０と、カラーフィルター基板１１と、枠状のシール部材２０と、によって囲まれた空間内に封入されている。シール部材２０は、ＴＦＴ基板１０とカラーフィルター基板１１とを所定の間隔をおいて貼り合わせる。シール部材２０が形成された部分は、液晶パネル２の額縁部分２０Ｂに対応する。
【００３５】
本実施形態の液晶パネル２は、例えばＴＮ（Twisted Nematic）モードで表示を行う。
【００３６】
尚、液晶パネル２の表示モードは上記のＴＮモードに限らない。例えば、ＶＡ（Vertical Alignment, 垂直配向）モード、ＳＴＮ（Super Twisted Nematic）モード、ＩＰＳ（In-Plane Switching）モード、ＦＦＳ（Fringe Field Switching）モード等を用いてもよい。
【００３７】
本実施形態の液晶パネル２において、例えば、画面サイズは対角８型、画素数は６４０×４８０のＶＧＡ、画素サイズは２５４μｍである。
【００３８】
バックライト８は、発光素子３６と、導光体３７と、を備えている。発光素子３６は、導光体３７の端面に配置されている。発光素子３６としては、例えば、発光ダイオード、冷陰極管等が用いられる。本実施形態のバックライト８は、エッジライト型のバックライトである。
【００３９】
導光体３７は、発光素子３６から射出された光を液晶パネル２に導く機能を有する。導光体３７の背面側には傾斜面３７ａが形成されている。導光体３７の材料としては、例えば、アクリル樹脂等の樹脂材料が用いられる。
【００４０】
図１に示すように、バックライト８と液晶セル５との間には、第１偏光板３が設けられている。第１偏光板３は、偏光子として機能する。ここで、ｘ軸方向の正方向を基準として反時計回りに角度を表す。すると、第１偏光板３の透過軸Ｐ１は４５°−２２５°方向に設定されている。
【００４１】
液晶セル５と光学フィルム９との間には、第２偏光板７が設けられている。第２偏光板７は、偏光子として機能する。第２偏光板７の透過軸Ｐ２は、第１偏光板３の透過軸Ｐ１と直交するように配置されている。第２偏光板７の透過軸Ｐ２は、１３５°−３１５°方向に設定されている。第１偏光板３の透過軸Ｐ１と第２偏光板７の透過軸Ｐ２とは、クロスニコルの配置となっている。
【００４２】
第１偏光板３と液晶セル５との間には、第１位相差フィルム４が設けられている。第１位相差フィルム４の遅相軸Ｋ１は、第１偏光板３の透過軸Ｐ１と平行に配置されている。位相差フィルム４の遅相軸Ｋ１は、４５°−２２５°方向に設定されている。
【００４３】
第２偏光板７と液晶セル５との間には、第２位相差フィルム６が設けられている。第２位相差フィルム６の遅相軸Ｋ２は、第２偏光板７の透過軸Ｐ２と平行に配置されている。位相差フィルム６の遅相軸Ｋ２は、１３５°−３１５°方向に設定されている。
【００４４】
本実施形態の位相差フィルム（第１位相差フィルム４、第２位相差フィルム６）としては、例えば、富士フィルム社製のＷＶフィルムが用いられる。
【００４５】
図２に示すように、光学フィルム９は、基材３９と、複数の突起部４１と、遮光層４０と、保護フィルム４３と、を備えている。複数の突起部４１は、基材３９の一面（視認側の面）に互いに隣接して形成されている。光学フィルム９において、突起部４１同士の間には空隙部４２が形成されている。遮光層４０は、基材３９の一面のうち突起部４１の形成領域以外の領域に形成されている。基材３９の他面（背面側の面）が液晶パネル２の他面（視認側の面）と対向している。
【００４６】
光学フィルム９は、基材３９の側を第２偏光板７に向け、突起部４１が設けられた側を視認側に向けた姿勢で第２偏光板７上に配置される。
【００４７】
基材３９としては、一般に、熱可塑性ポリマーや熱硬化性樹脂、光重合性樹脂などの樹脂類などが用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などからなる光透過性の基材を用いることができる。例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性の基材が好ましく用いられる。本実施形態では、一例として厚さｔが２０μｍのＰＥＴフィルムが用いられる。基材３９の全光線透過率は、ＪＩＳ  Ｋ７３６１−１の規定で９０％以上が好ましい。これにより、十分な透明性を得ることができる。
【００４８】
突起部４１は、例えばアクリル樹脂やエポキシ樹脂、シリコーン樹脂等の光透過性および感光性を有する有機材料で構成されている。これら樹脂に重合開始剤、カップリング剤、モノマー、有機溶媒などを混合した透明樹脂製の混合物を用いることができる。さらに、重合開始剤は安定剤、禁止剤、可塑剤、蛍光増白剤、離型剤、連鎖移動剤、他の光重合性単量体等のような各種の追加成分を含んでいてもよい。その他、特許第４１２９９９１号記載の材料を用いることができる。突起部４１の全光線透過率は、ＪＩＳ  Ｋ７３６１−１の規定で９０％以上が好ましい。これにより、十分な透明性を得ることができる。  
【００４９】
複数の突起部４１の各々は、基材３９側に光入射端面４１ａを有するとともに基材３９側と反対側に光射出端面４１ｂを有する。複数の突起部４１の各々における空隙部４２と接する側面４１ｃは、光入射端面４１ａの外側に向けて傾斜している。側面４１ｃは、液晶パネル２から斜め方向に射出された光を液晶パネル２の法線方向に向けて反射する面である。光入射端面４１ａの面積は、光射出端面４１ｂの面積と概ね等しい。
【００５０】
突起部４１の側面４１ｃの傾斜角度α（光射出端面４１ｂと側面４１ｃとのなす角度）は、一例として７６°程度である。ただし、突起部４１の側面４１ｃの傾斜角度αは、光学フィルム９から射出する際に、入射光を液晶パネル２の法線方向に曲げることが可能な角度であれば、特に限定されない。本実施形態においては、複数の突起部４１の各々における側面４１ｃの傾斜角度αは一定になっている。
【００５１】
光学フィルム９は、液晶パネル２を透過して基材３９の他面に斜めに入射した光を突起部４１の側面４１ｃで全反射し、基材３９の法線方向から見たときの輝度が最も大きくなるような配光分布を有する光に変換する。
【００５２】
図３は液晶表示装置１の斜視図である。尚、図３においては、便宜上、保護フィルム４３の図示を省略している。
図３に示すように、複数の突起部４１の各々は概ね一方向（Ｘ方向）に長手方向を有している。本実施形態の場合、複数の突起部４１の各々は、Ｘ方向に延びる一定幅のストライプ状の突起部として構成されている。複数の突起部４１の各々の長手方向は、矩形形状を有する基材３９の１辺と平行な方向に配置されている。複数の突起部４１の各々は、発光素子３６から液晶パネル２に入射する光の指向性の強い方位角方向（図８に示すφ：９０°−２７０°方向）と直交する方向に概ね長手方向を有している。
【００５３】
図２に示すように、複数の突起部４１の各々における突起部４１の幅方向と平行な断面（ＹＺ断面）の形状は平行四辺形である。図２において、突起部４１の基材３９の法線方向（Ｚ方向）の高さをｈ、突起部４１の短手方向の幅をｗ１、突起部４１同士の空隙部４２の間隔（遮光層４０の幅）をｗ２で示す。例えば、突起部４１の高さｈは２０μｍ、突起部４１の幅ｗ１は１４μｍ、空隙部４２の間隔ｗ２は１０μｍである。
【００５４】
空隙部４２には空気が存在しており、その屈折率は概ね１．０となっている。空隙部４２の屈折率を１．０とすることで、空隙部４２と突起部４１との界面における臨界角が最小となるように構成されている。本実施形態の場合、空隙部４２には空気が存在しているが、これに限らない。例えば、空隙部４２には窒素などの不活性ガスが存在していてもよく、空隙部４２が減圧状態とされていてもよい。
【００５５】
遮光層４０は、基材３９の一面に突起部４１の高さよりも小さい厚みで形成されている。例えば、遮光層４０の厚みｄは１μｍである。遮光層４０は、一例として、ブラックレジスト、黒色インク等の光吸収性および感光性を有する有機材料で構成されている。その他、Ｃｒ（クロム）やＣｒ／酸化Ｃｒの多層膜等の金属膜を用いても良い。
【００５６】
保護フィルム４３は、突起部４１を挟んで基材３９とは反対側に設けられている。保護フィルム４３は、光透過性を有する。保護フィルム４３は、バインダー樹脂４４の内部に、可視光を散乱する複数の散乱粒子４５が分散されたものである。バインダー樹脂４４としては、例えばアクリル樹脂等が用いられる。散乱粒子４５としては、例えばアクリルビーズ等が用いられる。保護フィルム４３は、光学接着等により、複数の突起部４１の光射出端面４１ｂに固定されている。
【００５７】
次に、発光素子３６から射出された光が光学フィルム９から取り出されるまでの光路について図２及び図３を用いて説明する。
【００５８】
図２及び図３に示すように、発光素子３６から導光体３７の端面に入射した光は、導光体３７の内部を全反射しつつ伝播する。導光体３７の内部を伝播する光は、傾斜面３７ａに当たり、伝播角度が変えられ、全反射条件が破られたものから順に、導光体３７の上面から射出される。導光体３７の上面からは、発光素子３６とは反対側に斜めに傾いた光が指向性の高い状態で射出される。導光体３７の上面から射出された光は、この射出角度を維持しながら液晶パネル２を通過して光学フィルム９に入射する。光学フィルム９に入射した光は、突起部４１の側面４１ｃで反射して進行方向が変えられ、液晶パネル２の法線方向に曲げられて射出される。
【００５９】
図４は、バックライト８（導光体３７の上面）から射出された光が光学フィルム９から射出されるまでの光路を説明するための図である。
【００６０】
ここでは、一例として、バックライト８から射出される光の射出角度が４５°であり、液晶パネル２の額縁部分２０Ｂ（図２参照）の幅Ｂｗが１ｍｍである場合を考える。
液晶表示装置１の画素と光学フィルム９との間には、カラーフィルター基板１１、第２位相差フィルム６及び第２偏光板７が配置されている。カラーフィルター基板１１の厚みは０．５ｍｍ程度であり、カラーフィルター基板１１、第２位相差フィルム６及び第２偏光板７を足し合わせた厚みは１ｍｍ程度である。
【００６１】
スネルの法則より、バックライト８から射出角度４５°で射出された光が屈折率１．５の媒体内（カラーフィルター基板１１、第２位相差フィルム６及び第２偏光板７）を進行する角度は２８°となる。そうすると、額縁部分２０Ｂを視認側から見えないようにするためには、導光体３７と光学フィルム９との間に１．９ｍｍの間隔が必要となる。そこで、第２偏光板７と光学フィルム９との間には、厚みが０．９ｍｍのアクリル樹脂が光学接着等により挿入する。
【００６２】
その結果、液晶表示装置１のＳ１の位置の画素で表示された映像が、液晶表示装置１の視認側の面ではＳ２の位置で表示される。そのため、観察者からは１ｍｍ幅の額縁部分２０Ｂが観察されない。
【００６３】
図１に戻り、ＴＦＴ基板１０の配向膜２７の配向制御方向を矢印Ｈ１で示す。一方、カラーフィルター基板１１の配向膜３４の配向制御方向を矢印Ｈ２で示す。
【００６４】
配向膜２７には、配向制御方向Ｈ１が１３５°−３１５°方向となるように、ラビング等の配向処理がなされている。一方、配向膜３４には、配向制御方向Ｈ２が４５°−２２５°方向となるように、ラビング等の配向処理がなされている。
【００６５】
図５は、透過軸の配置を説明するための斜視図である。
図５に示すように、ｘ軸方向の正方向を基準として反時計回りに角度を表すと、第１偏光板３の透過軸Ｐ１は４５°−２２５°方向に設定されており、第２偏光板７の透過軸Ｐ２は、１３５°−３１５°方向に設定されている。第１偏光板３の透過軸Ｐ１と第２偏光板７の透過軸Ｐ２とは、クロスニコルの配置となっている。
【００６６】
図６は、液晶分子の捩れ方向を説明するための図である。
図６に示すように、液晶セル５の視認側の液晶分子１２ａの長軸は４５°−２２５°方向に傾いており、液晶セル５の背面側の液晶分子１２ｂの長軸は１３５°−３１５°方向に傾いている。このように、液晶セル５の内部では、観察者側から反時計回りに９０°液晶分子が捩れるように配向している。液晶セル５の厚み方向の中央部の液晶分子はφ９０°の方位を向いている。
【００６７】
電圧無印加時には、液晶分子は、配向膜２７と配向膜３４との間で、９０°ツイストした状態となる。このとき、４５°−２２５°方向の透過軸Ｐ１を有する第１偏光板３を透過した直線偏光の偏光面が、液晶層１２の持つ旋光性により９０°回転する。これにより、第１偏光板３を透過した直線偏光が、１３５°−３１５°方向の透過軸Ｐ２を有する第２偏光板７を透過する。その結果、電圧無印加時には白表示となる。
【００６８】
電圧印加時には、液晶分子は、配向膜２７と配向膜３４との間で、電界に沿った方向に立ち上がった状態となる。このとき、４５°−２２５°方向の透過軸Ｐ１を有する第１偏光板３を透過した直線偏光の偏光面は回転しない。そのため、第１偏光板３を透過した直線偏光は、１３５°−３１５°方向の透過軸Ｐ２を有する第２偏光板７を透過しない。その結果、電圧印加時には黒表示となる。
【００６９】
以上のように、画素毎に電圧の印加／無印加を制御することにより白表示と黒表示とを切り替え、画像を表示することができる。
【００７０】
ところが、以下に説明するように、表示画像のコントラスト比は見る角度により異なる。
【００７１】
図７は、極角と方位角の定義を説明するための図である。
ここで、図７に示すように、液晶表示装置１の画面の法線方向Ｅを基準とした観察者の視線方向Ｆのなす角度を極角θとする。ｘ軸の正方向（０°方向）を基準とした観察者の視線方向Ｆを画面上に射影したときの線分Ｇの方向のなす角度を方位角φとする。
【００７２】
図８は、液晶表示装置１の正面図である。
図８に示すように、液晶表示装置１の画面において、水平方向（ｘ軸方向）を方位角φ：０°−１８０°方向とする。垂直方向（ｙ軸方向）を方位角φ：９０°−２７０°方向とする。
【００７３】
図９は、本実施形態の液晶表示装置１における、白表示時のコントラスト視野角特性を示す等コントラスト曲線を示す図である。
【００７４】
図８に示す方位角方向を定義したとき、等コントラスト曲線は、図９に示すようになる。７本の等コントラスト曲線は、外側から内側に向かうにつれてコントラスト比が高くなっている。７本の等コントラスト曲線のコントラスト比は、外側から順に、１本目が１００、２本目が２００、３本目が３００、４本目が３５０、５本目が４００、６本目が４５０、７本目が５００となっている。７本の等コントラスト曲線は全て回転非対称の形状である。それぞれの等コントラスト曲線は、方位角φ：９０°方向に片寄っている。すなわち、輝度ピークが方位角φ：９０°方向にずれている。
【００７５】
なお、コントラスト比は、表示画像における白表示の輝度値／黒表示の輝度値のことである。コントラスト比が大きい程、表示画像の視認性が良いと判断できる。
【００７６】
本実施形態の液晶表示装置１では、液晶パネルに一定の電圧を印加した場合の方位角φ：２７０°方向の透過率変化が大きい。そのため、表示画像を方位角φ：２７０°方向の側から観察すると、表示画像の視認性が悪くなる。
【００７７】
そこで、本実施形態では、表示画像を方位角φ：２７０°方向の側から観察しても、表示画像の視認性が良い状態を維持できるよう、液晶パネル２に一定の電圧を印加した場合にコントラストが大きくなる方位角方向（方位角φ：２７０°方向）と、バックライト８から液晶パネル２に入射する光の指向性の強い方位角方向（図２及び図３に示す、バックライト８から射出された光の進行方向である−Ｙ方向）と、を概ね一致させている。
【００７８】
図１０（ａ）〜（ｄ）は、光学フィルム９の製造方法の一例を示す図である。
【００７９】
まず、図１０（ａ）に示すように、基材３９の一面に、例えば印刷法等により、遮光層４０のパターンを形成する。例えば、遮光層４０の厚みｄを１μｍ、遮光層４０の開口部の幅ｗ１を１４μｍ、遮光層４０の幅ｗ２を１０μｍとする。
【００８０】
次に、図１０（ｂ）に示すように、基材３９の一面及び遮光層４０を覆うように、例えば塗布法等により、透明ネガレジストからなるレジスト層４８を形成する。例えば、レジスト層４８の高さｈを２０μｍとする。
【００８１】
次に、図１０（ｃ）に示すように、遮光層４０をマスクとして、基材３９のレジスト層４８が形成された側とは反対側から紫外線ＵＶを照射し、露光処理を行う。照射方向は、基材３９の法線方向に対して斜めに傾いた方向とする。紫外線ＵＶとしては、基材３９の法線方向に対して斜め方向に平行な光（コリメートＵＶ光）が用いられる。
【００８２】
次に、図１０（ｄ）に示すように、現像液を用いてレジスト層４８を現像し、加熱処理によってレジスト層４８を硬化させる。これにより、透明ネガレジストからなる突起部４１が形成される。そして、突起部４１の光射出端面４１ｂに上述の保護フィルム４３（図２参照）を固定する。
以上により、光学フィルム９が製造される。
【００８３】
以下、図１１（ａ）、（ｂ）を用いて本実施形態に係る光学フィルムの作用を説明する。
図１１（ａ）は、比較例に係る、光の屈折を利用する構成の作用を説明するための図である。図１１（ｂ）は、本実施形態に係る光学フィルム９の作用を説明するための図である。
図１１（ａ）の上段及び図１１（ｂ）の上段は、光の光路を説明するための図である。
図１１（ａ）の下段及び図１１（ｂ）の下段は、光の取り出しに寄与する部分の開口率を説明するための図である。ここで、開口率は、突起部を光の入射方向から見て突起部全体の面積を１００％としたときの光の取り出しに寄与する部分の面積率を意味する。
尚、図１１（ｂ）においては、便宜上、保護フィルム４３の図示を省略している。
【００８４】
図１１（ａ）においては、光の屈折を利用する構成の一例として、断面形状が直角三角形の突起部１０４１を挙げて説明する。突起部１０４１は、第１面１０４１ａと、第２面１０４１ｂと、第３面１０４１ｃと、を有する。第１面１０４１ａの長さは２０μｍ、第１面１０４１ａと第３面１０４１ｃとのなす角度は５７°、第２面１０４１ｂと第３面１０４１ｃとのなす角度は３３°とする。突起部１０４１の屈折率は１．８とする。突起部１０４１に入射する光の入射角度は４５°とする。
図１１（ｂ）においては、上述した本実施形態に係る突起部４１を挙げて説明する。突起部４１に入射する光の入射角度は４４°とする。
【００８５】
図１１（ａ）の上段に示すように、突起部１０４１の第３面１０４１ｃに斜めに入射した光の一部は、第３面１０４１ｃで屈折し、進行方向が曲げられ、第２面１０４１ｂから垂直に射出される。突起部１０４１の第３面１０４１ｃに斜めに入射した光の残りの一部は、第３面１０４１ｃで反射し、迷光の原因となる。尚、突起部１０４１の第１面１０４１ａに入射した光についても、迷光の原因となる。
【００８６】
しかしながら、比較例の構成であると、図１１（ａ）の下段に示すように、光の取り出しに寄与する部分（第３面１０４１ｃ）の面積率（開口率）が３５％、光の取り出しに寄与しない部分（第１面１０４１ａ）の面積率が６５％となり、開口率が小さい。そのため、比較例の構成では、光を十分に取り出すことができない。
【００８７】
これに対し、本実施形態においては、図１１（ｂ）の上段に示すように、突起部４１の光入射端面４１ａに斜めに入射した光は、側面４１ｃで全反射し、進行方向が曲げられ、光射出端面４１ｂから垂直に射出される。
【００８８】
また、図１１（ｂ）の下段に示すように、光の取り出しに寄与する部分（側面４１ｃ）の面積率が５８％、光の取り出しに寄与しない部分（遮光層４０）の面積率が４２％となり、開口率が大きい。そのため、比較例よりも多くの光を取り出すことができる。
【００８９】
以上説明したように本実施形態の構成によれば、液晶パネル２を斜めに通過した光が光学フィルム９の突起部４１の側面４１ｃで反射されて正面方向に折り曲げられる。光の反射現象を利用して光を曲げるため、光を曲げられる角度が大きくなる。よって、薄型の液晶表示装置１を提供することができる。また、突起部４１の光入射端面４１ａに入射した光は側面４１ｃで全反射されることにより概ね全て光射出端面４１ｂから射出される。よって、バックライト８から射出された光を効率よく利用でき、明るい表示が可能となるとともに、迷光となる光が少なくなるので、高画質な表示が可能となる。
よって、このような液晶表示装置１を複数組み合わせることで、シームレス表示が可能な薄型で明るい高画質なマルチディスプレイシステムを提供することができる。
【００９０】
本実施形態の構成によれば、光学フィルム９が、液晶パネル２を斜めに透過して基材３９の他面に斜めに入射した光を突起部４１の側面４１ｃで全反射し、基材３９の法線方向から見たときの輝度が最も大きくなるような配光分布を有する光に変換するため、正面方向の明るさの大きい液晶表示装置１が提供できる。
【００９１】
突起部４１の形成領域以外の領域に入射した光は、迷光となって画質を劣化させる場合がある。本実施形態の構成によれば、突起部４１の形成領域以外の領域に遮光層４０が形成されているため、このような迷光を抑制して画質を向上させることができる。
【００９２】
空隙部４２に異物が混入すると、突起部４１の側面４１ｃでの反射特性が損なわれることがある。本実施形態の構成によれば、突起部４１の上部に保護フィルム４３が設けられているため、空隙部４２に異物が混入することを抑制することができる。
【００９３】
本実施形態の構成によれば、液晶パネル２の液晶層１２に一定の電圧を印加した場合にコントラストが大きくなる方位角方向と、バックライト８から液晶パネル２に入射する光の指向性の強い方位角方向と、が概ね一致しているため、液晶パネル２のコントラスト特性の優れた方位に光を入射させることができる。そのため、表示品位に優れた液晶表示装置１を提供することができる。
【００９４】
本実施形態の構成によれば、突起部４１の長手方向とバックライト８から液晶パネル２に入射する光の指向性の強い方位角方向とが直交しているため、より多くの光を突起部４１の側面４１ｃで反射することができる。よって、明るい液晶表示装置１を提供することができる。
【００９５】
[第２実施形態]
図１２（ａ）〜（ｃ）は、突起部と空隙部の平面形状のバリエーションを示す平面図である。
これらのバリエーションは、上述した第１実施形態の光学フィルム９の構成に適用可能である。
図１２（ａ）〜（ｃ）において、符号４１Ｅ，４１Ｆ，４１Ｇは突起部であり、符号４２Ｅ，４２Ｆ，４２Ｇは空隙部である。ただし、符号４１Ｅ，４１Ｆ，４１Ｇが空隙部であり、符号４２Ｅ，４２Ｆ，４２Ｇが突起部であってもよい。また、空隙部には、基材３９が露出していてもよいし、基材３９の一面に形成された遮光層が露出していてもよい。
なお、本実施形態において第１実施形態と共通する構成要素については、同じ符号を付し、詳細な説明は省略する。
【００９６】
図１２（ａ）は、突起部４１Ｅと空隙部４２ＥがＸ方向に長手方向を有するストライプ状に形成されている例を示している。図１２（ａ）において、突起部４１Ｅ間の空隙部４２Ｅの幅は一定であるが、突起部４１Ｅの幅はランダムである。
【００９７】
図１２（ｂ）は、複数の空隙部４２Ｆが樹木の枝のように不規則に屈曲し若しくは分岐した状態で形成されている例を示している。この例では、例えば、基材３９の全面に突起部４１Ｆの材料である透明なレジスト層が形成され、このレジスト層に複数の空隙部４２Ｆが互いに隣接して形成されている。
【００９８】
図１２（ｂ）の光学フィルムは、光透過性を有する基材３９と、基材３９の一面に形成された光透過性を有する突起部４１Ｆと、を備え、突起部４１Ｆには複数の空隙部４２Ｆが互いに隣接して形成されている。突起部４１Ｆは、基材３９側に光入射端面を有するとともに基材３９とは反対側に光射出端面を有し、且つ、空隙部４２Ｆと接する側面が、光入射端面の外側に向けて傾斜しており、液晶パネル２から斜め方向に射出された光を液晶パネル２の法線方向に向けて反射する。
【００９９】
複数の空隙部４２Ｆの各々は概ね一方向（Ｘ方向）に長手方向を有している。ここで、「複数の空隙部の各々が概ね一方向に長手方向を有している」とは、例えば、次のようなことをいう。すなわち、基材３９の突起部４１Ｆが形成された側とは反対側から基材３９の内部に蛍光のような等方的に拡散する光を入射させ、複数の突起部４１Ｆの外部に射出される光の極角輝度分布を測定する。このとき、複数の突起部４１Ｆから射出される光の輝度が相対的に強い方向と相対的に弱い方向とが存在する場合に、「複数の空隙部の各々が概ね一方向に長手方向を有している」という。輝度が相対的に強い方向と直交する方向は、前記「一方向」として規定される。
【０１００】
図１２（ｃ）は、突起部４１Ｆの形状が一方向に長軸を有する例を示している。図１２（ｃ）では、突起部４１Ｆの形状が楕円であるが、突起部４１Ｆの形状はこれに限定されない。突起部４１Ｆの形状は、長方形や菱形などの他の形状であってもよい。
【０１０１】
一般に、ストライプや格子等のような規則性のあるパターン同士を重ね合わせた場合、各パターンの周期が僅かにずれると、干渉縞模様（モアレ）が視認されることが知られている。例えば複数の突起部がマトリクス状に配列された光学フィルムと複数の画素がマトリクス状に配列された液晶パネルとを重ね合わせたとすると、光学フィルムの突起部による周期パターンと液晶パネルの画素による周期パターンとの間でモアレが発生し、表示品位を低下させる虞がある。
【０１０２】
これに対し、本実施形態の構成においては、複数の突起部の幅がランダムになっている。そのため、液晶パネルの画素の規則的配列との間で干渉によるモアレが生じることがなく、表示品位を維持することができる。
【０１０３】
本実施形態では、複数の突起部の幅をランダムとしたが、必ずしも複数の突起部の幅がランダムである必要はない。複数の突起部の配置が非周期的であれば、モアレの発生を抑えることができる。さらに、状況や用途に応じて多少のモアレの発生が許容される場合には、複数の突起部が周期的に配置されていても良い。
【０１０４】
尚、観察者が突起部の周期パターンを視認しにくくする観点からは、突起部の周期パターンのサイズは１００μｍ未満であることが望ましい。また、異なる画素からの光の混色を抑制する観点からは、突起部の周期パターンのサイズは画素ピッチ（例えば８５μｍ）未満であることが望ましい。
【０１０５】
[第３実施形態]
図１３（ａ）、（ｂ）は、光学フィルムの製造方法のバリエーションを示す図である。
このバリエーションは、上述した第１実施形態または第２実施形態の光学フィルムの構成に適用可能である。
なお、本実施形態において第１実施形態と共通する構成要素については、同じ符号を付し、詳細な説明は省略する。
【０１０６】
本実施形態において、基材３９の一面及び遮光層４０を覆うようにレジスト層４８を形成するまでの工程については、上述した図１０（ａ）及び図１０（ｂ）と同様である。
【０１０７】
次に、図１３（ａ）に示すように、遮光層４０をマスクとして、基材３９のレジスト層４８が形成された側とは反対側から紫外線ＵＶを照射し、露光処理を行う。照射方向は、複数の方向とする。具体的には、基材３９の法線方向に対して斜めに傾いた第１の照射方向ＵＶ１、基材３９の法線方向と平行な第２の照射方向ＵＶ２とする。
【０１０８】
次に、図１３（ｂ）に示すように、現像液を用いてレジスト層４８を現像し、加熱処理によってレジスト層４８を硬化させる。これにより、透明ネガレジストからなる突起部４６が形成される。突起部４６の形状は、光射出端面４６ｂの面積が光入射端面４６ａの面積よりも大きい台形である。
以上により、光学フィルムが製造される。
【０１０９】
以下、図１４（ａ）、（ｂ）を用いて本実施形態に係る光学フィルムの作用を説明する。
図１４（ａ）は、比較例（第１実施形態）に係る断面形状が平行四辺形の突起部４１の作用を説明するための図である。図１４（ｂ）は、本実施形態に係る断面形状が台形の突起部４６の作用を説明するための図である。
【０１１０】
図１４（ａ）に示すように、突起部４１の光入射端面４１ａの側面４１ｃ側の部分に斜めに入射した光は、側面４１ｃで全反射し、進行方向が曲げられ、側面４１ｃと反対側の面に入射する。その後、反対側の面で全反射し、光射出端面４１ｂの側面４１ｃ側の部分から射出される。
【０１１１】
これに対し、図１４（ｂ）に示すように、本実施形態においては、光射出端面４６ｂが広くなっているため、図１４（ａ）と同じように突起部４６の光入射端面４６ａの側面４６ｃ側の部分に斜めに入射した光であっても、側面４６ｃで全反射し、進行方向が曲げられ、光射出端面４６ｂの側面４６ｃとは反対側の部分から射出される場合がある。
【０１１２】
このように本実施形態の構成によれば、より多くの光をより広い角度範囲で射出させることができる。また、バックライトの指向性を緩和して光学フィルム（側面４６ｃ）への入射角度を広げることで（図１４（ｂ）の破線及び一点鎖線参照）、視野角特性をさらに改善することができる。よって、視野角の広い液晶表示装置を提供することができる。
【０１１３】
[第４実施形態]
図１５は、第４実施形態の液晶表示装置１０１の概略構成を示す断面図である。
図１５に示すように、本実施形態の液晶表示装置１０１は、２つの液晶パネル２Ａ，２Ｂを備えたマルチディスプレイである。
なお、本実施形態において第１実施形態と共通する構成要素については、同じ符号を付し、詳細な説明は省略する。
【０１１４】
液晶表示装置１０１は、２つの液晶パネル２Ａ，２Ｂと、バックライト６０と、光学フィルム５０と、を備えている。
【０１１５】
２つの液晶パネル２Ａ，２Ｂの各々は、第１偏光板３と、第１位相差フィルム４と、液晶セル５と、第２位相差フィルム６と、第２偏光板７と、を備えている。液晶パネル２Ａの額縁部分２０Ｂ１と液晶パネル２Ｂの額縁部分２０Ｂ１とは隣接して配置されている。
【０１１６】
バックライト６０は、発光素子６１Ａ，６１Ｂと、箱体６２と、レンズシート６５と、を備えている。レンズシート６５は、箱体６２の天板６２ａに対向して配置されている。
【０１１７】
発光素子６１Ａ，６１Ｂは、例えば発光ダイオード（Light Emitting Diode, 以下、ＬＥＤと略記する。）である。
【０１１８】
箱体６２の内部は中空であり、空気が存在している。箱体６２の天板６２ａ及び底板６２ｂは、互いに平行に配置されている。天板６２ａ及び底板６２ｂを囲む４つの側面のうち、側面６２ｃ１には発光素子６１Ａが配置され、側面６２ｃ２には発光素子６１Ｂが配置されている。
【０１１９】
発光素子６１Ａ，６１Ｂの各々は、ＬＥＤの光射出面が箱体６２の内部を向く姿勢で箱体６２に固定されている。これにより、発光素子６１Ａ，６１Ｂの各々は、箱体６２の内部空間に向けて光を射出する。以下、箱体６２の内部空間をキャビティ６３と称する。
【０１２０】
箱体６２は、例えば金属、プラスチック等の種々の材料で構成されるが、材料は特に限定されない。ただし、キャビティ６３に面する箱体６２の内面６２ｉは、光を反射させる反射面である必要がある。その理由は、発光素子６１Ａ，６１Ｂから射出された光を、箱体６２の内面６２ｉで複数回反射させつつキャビティ６３内を導光させる必要があるからである。したがって、反射時の光の損失を最小限に抑えるために、箱体６２の内面６２ｉの光反射率はできるだけ高い方が望ましい。例えば、箱体６２がプラスチックで形成されている場合等には、箱体６２の内面６２ｉに光反射率の高い材料からなる反射膜を設けてもよい。
【０１２１】
箱体６２の内面６２ｉの少なくとも一部は、発光素子６１Ａ，６１Ｂから射出された光を散乱反射させる散乱反射面であってもよい。もしくは、箱体６２の内面６２ｉの少なくとも一部は、発光素子６１Ａ，６１Ｂから射出された光を正反射させる正反射面であってもよい。例えば箱体６２の内面６２ｉの全てが散乱反射面であってもよいし、箱体６２の内面６２ｉの全てが正反射面であってもよい。もしくは、天板６２ａの内面６２ｉが正反射面、底板３ｂの内面６２ｉが散乱反射面というように、正反射面と散乱反射面とが混在していてもよい。
【０１２２】
箱体６２の天板６２ａには、箱体６２の外部空間とキャビティ６３とを連通させる複数の開口部６４が設けられている。
【０１２３】
レンズシート６５は、複数のレンズ６６（単位レンズ）を有するシート状の部材である。各レンズ６６は、２つの凸面が球面からなる両凸レンズである。レンズシート６５を法線方向から見ると、レンズ６６の中心は、開口部６４の中心からずれた位置に配置されている。具体的には、バックライト６０のうち液晶パネル２Ａに対応する部分においては、レンズ６６の中心が開口部６４の中心に対して発光素子６１Ｂ側（右側）にずれた位置に配置されている。一方、バックライト６０のうち液晶パネル２Ｂに対応する部分においては、レンズ６６の中心が開口部６４の中心に対して発光素子６１Ａ側（左側）にずれた位置に配置されている。
【０１２４】
光学フィルム５０は、基材５１と、複数の突起部５３と、遮光層５２と、保護フィルム５５と、を備えている。複数の突起部５３は、基材５１の一面（視認側の面）に互いに隣接して形成されている。光学フィルム５０において、突起部５３同士の間には空隙部５４が形成されている。遮光層５２は、基材５１の一面のうち突起部５３の形成領域以外の領域に形成されている。
【０１２５】
複数の突起部５３の各々は、基材５１側に光入射端面５３ａを有するとともに基材５１側と反対側に光射出端面５３ｂを有する。複数の突起部５３の各々における空隙部５４と接する側面５３ｃは、光入射端面５３ｂの外側に向けて傾斜している。
【０１２６】
具体的には、複数の突起部５３のうち液晶パネル２Ａに対応する位置に配置された突起部５３の側面５３ｃは、液晶パネル２Ｂ側に向けて傾斜している。液晶パネル２Ａに対応する位置の側面５３ｃは、液晶パネル２Ａから斜め方向に射出された光を液晶パネル２Ａの法線方向に向けて反射する面である。
【０１２７】
一方、複数の突起部５３のうち液晶パネル２Ｂに対応する位置に配置された突起部５３の側面５３ｃは、液晶パネル２Ａ側に向けて傾斜している。液晶パネル２Ｂに対応する位置の側面５３ｃは、液晶パネル２Ｂから斜め方向に射出された光を液晶パネル２Ｂの法線方向に向けて反射する面である。
【０１２８】
保護フィルム５５は、突起部５３を挟んで基材５１とは反対側に設けられている。保護フィルム５５は、光透過性を有する。保護フィルム５５は、バインダー樹脂５６の内部に、可視光を散乱する複数の散乱粒子５７が分散されたものである。
【０１２９】
図１６（ａ）、（ｂ）は、バックライトの断面図である。
尚、図１６（ａ）、（ｂ）においては、便宜上、バックライトのうち液晶パネル２Ａに対応する部分を示している。
【０１３０】
図１６（ａ）に示すように、発光素子６１Ａから射出された光は、箱体６２の内面６２ｉで反射を繰り返し、キャビティ６３の内部を導光する。例えば箱体６２の内面６２ｉの光反射率が９５％であったとすると、反射時に５％の光の損失が生じるものの、その他の大部分の光はキャビティ６３の内部を導光する。光は、天板６２ａの開口部６４に到達しない限り、キャビティ６３内を導光する。光は、天板６２ａの開口部６４に到達すると箱体６２の外部に取り出される。したがって、開口部６４が設けられた箱体６２の天板６２ａの上面は、発光素子６１Ａからの光を取り出すための光射出面といえる。
【０１３１】
キャビティ６３内を導光する光は、箱体６２の様々な内面６２ｉで複数回反射した後、開口部６４に達する。そのため、開口部６４から様々な角度で光Ｌが射出される。開口部６４から射出された光は、レンズ６６に対して様々な角度で入射する。バックライト６０のうち液晶パネル２Ａに対応する部分においては、レンズ６６の焦点に対して開口部６４の中心が発光素子６１Ａ側にずれた位置に配置されているため、レンズ６６に対して様々な角度で入射した光は、レンズ６６の光軸に対して液晶パネル２Ｂ側に斜めに傾いた方向の光に変換されてレンズ６６から射出される。
【０１３２】
尚、図１５及び図１６（ａ）では、レンズシート６５を構成するレンズ６６が両凸レンズである例を挙げて説明したが、これに限らない。例えば、図１６（ｂ）に示すように、レンズシート６８を構成するレンズ６９が放物面レンズであってもよい。この場合、バックライト６７のうち液晶パネル２Ａに対応する部分においては、レンズ６９の中心が開口部６４の中心に対して発光素子６１Ａ側（左側）にずれた位置に配置される。そうすると、レンズ６８の焦点に対して開口部６４の中心が発光素子６１Ｂ側にずれた位置に配置されるため、レンズ６８に対して様々な角度で入射した光は、レンズ６８の光軸に対して液晶パネル２Ｂ側に斜めに傾いた方向の光に変換されてレンズ６８から射出される。
【０１３３】
本実施形態においては、図１５に示すように、液晶表示装置１０１のＳ１の位置の画素で表示された画像が、液晶表示装置１０１の視認側の面ではＳ２の位置で表示され、液晶表示装置１０１のＳ３の位置の画素で表示された画像が、液晶表示装置１０１の視認側の面ではＳ４の位置で表示される。そのため、観察者からは額縁部分２０Ｂ１，２０Ｂ２が観察されない。
【０１３４】
本実施形態の構成によれば、２つの液晶パネル２Ａ，２Ｂを備えたマルチディスプレイにおいて、第１実施形態と同様の効果を奏する。
【０１３５】
[第５実施形態]
以下、図１７〜図１９を用いて、第５実施形態の液晶パネル１０２の構成と光源から射出される光の射出方向との関係について説明する。
本実施形態の液晶パネル１０２は、ＶＡモードの液晶層を有する。
なお、本実施形態において第１実施形態と共通する構成要素については、同じ符号を付し、詳細な説明は省略する。
【０１３６】
図１７は、本実施形態の液晶パネル１０２における透過軸の配置を説明するための斜視図である。
図１７に示すように、液晶パネル１０２は、第１偏光板１０３と、第１位相差フィルム１０４と、液晶セル１０５と、第２位相差フィルム１０６と、第２偏光板１０７と、を備えている。
ｘ軸方向の正方向を基準として反時計回りに角度を表すと、第１偏光板１０３の透過軸Ｐ１は０°−１８０°方向に設定されており、第２偏光板１０７の透過軸Ｐ２は、９０°−２７０°方向に設定されている。第１偏光板１０３の透過軸Ｐ１と第２偏光板１０７の透過軸Ｐ２とは、クロスニコルの配置となっている。
【０１３７】
図１８は、液晶パネル１０２における配向分割構造を示す図である。図１８においては、電圧印加状態で液晶分子１１２ｃが倒れる方向を示している。
図１８に示すように、液晶パネル１０２では、液晶層の厚さ方向中央部における液晶分子１１２ｃの配向方向が異なる４つのドメインＤ１，Ｄ２，Ｄ３，Ｄ４を有している。ドメインＤ１における液晶分子１１２ｃはφ４５°の方向に倒れる。ドメインＤ２における液晶分子１１２ｃはφ１３５°の方向に倒れる。ドメインＤ３における液晶分子１１２ｃはφ２２５°の方向に倒れる。ドメインＤ４における液晶分子１１２ｃはφ３１５°の方向に倒れる。
【０１３８】
図１９は、液晶パネル１０２におけるコントラスト視野角特性を示す図である。図１９においては、正面光透過率が最小の状態（黒表示時）における光透過率−視角特性の全方位図を示している。
図１９に示すように、極角が大きい領域（広角領域）で光透過率が上昇している。特に、方位角４５°−２２５°方向及び方位角１３５°−３１５°方向（一対の偏光板の２本の吸収軸の中間方位）において、光透過率が上昇している。このような構成の場合、表示画像を方位角φ：０°方向、φ：９０°方向、φ：１８０°方向、φ：２７０°方向の方位から観察すれば、表示画像の視認性に優れる。
【０１３９】
表示品位に優れた映像を実現するためには、バックライトから液晶パネル１０２に入射する光の指向性の強い方位角方向と、表示画像の視認性に優れる方位角方向とを一致させることが望ましい。本実施形態では、バックライトから液晶パネル１０２に入射する光の指向性の強い方位角方向と、液晶パネル１０２の方位角φ：９０°方向とを一致させている。
本実施形態の構成によれば、表示品位に優れた液晶表示装置を提供することができる。
【０１４０】
尚、本実施形態では、液晶層は、液晶分子の配向方向が異なる４つのドメインを有するもの、いわゆる配向分割（マルチドメイン）構造を有するものとした。しかしながら、本発明は、配向分割の数が４に限ることはなく、また、配向分割構造を持たない（モノドメイン）構造であっても良く、各種のＶＡモードの液晶表示装置に適用が可能である。
【０１４１】
[第６実施形態]
図２０は、第６実施形態の液晶表示装置２０１の概略構成を示す断面図である。
図２０に示すように、本実施形態の液晶表示装置２０１は、光学フィルム２５０と液晶パネル２Ａ，２Ｂとが空気層２６０を挟んで対向配置されている点が第４実施形態の液晶表示装置１０１と異なる。
なお、本実施形態において第４実施形態と共通する構成要素については、同じ符号を付し、詳細な説明は省略する。
【０１４２】
図２０に示すように、液晶表示装置２０１は、２つの液晶パネル２Ａ，２Ｂと、バックライト６０と、光学フィルム２５０と、を備えている。
【０１４３】
光学フィルム５０は、基材５１と、複数の突起部５３と、遮光層５２と、透明基板２５５と、を備えている。透明基板２５５は、例えばガラス基板であり、光学フィルム５０の保護基板として機能する。
【０１４４】
図２１は、バックライト６０から射出された光が光学フィルム２５０から射出されるまでの光路を説明するための図である。
【０１４５】
ここでは、一例として、バックライト６０から射出される光の射出角度が４５°であり、液晶パネル２Ａの額縁部分２０Ｂ１（図２０参照）の幅Ｂｗ１が３ｍｍである場合を考える。
液晶表示装置２０１の画素と光学フィルム２５０との間には、カラーフィルター基板１１、第２位相差フィルム６及び第２偏光板７が配置されている。カラーフィルター基板１１の厚みは０．７ｍｍ程度、第２位相差フィルム６の厚みは０．２ｍｍ程度、第２偏光板７の厚みは０．３ｍｍ程度であり、これらを足し合わせた厚みは１．２ｍｍ程度である。液晶パネル２Ａと光学フィルム２５０との間の空気層２６０の厚みは２．４ｍｍ程度である。
【０１４６】
スネルの法則より、バックライト６０から射出角度４５°で射出された光が屈折率１．５の媒体内（カラーフィルター基板１１、第２位相差フィルム６及び第２偏光板７）を進行する角度は２８°となる。そして、第２偏光板７から射出された光が屈折率１．０の空気層２６０を進行する角度は４５°となる。媒体内の光の進行角度は、空気層２６０を通過するときが最大の角度となる。
【０１４７】
その結果、液晶表示装置２０１のＱ１の位置の画素で表示された映像が、液晶表示装置２０１の視認側の面ではＱ２の位置で表示される。そのため、観察者からは３ｍｍ幅の額縁部分２０Ｂ１が観察されない。
【０１４８】
同様に、液晶表示装置２０１のＱ３の位置の画素で表示された画像は、液晶表示装置２０１の視認側の面ではＱ４の位置で表示される。そのため、観察者からは額縁部分２０Ｂ１，２０Ｂ２が観察されない。
【０１４９】
本実施形態の構成によれば、光学フィルム２５０と液晶パネル２Ａとの距離を大きくしなくても、表示が横方向に大きくスライドする距離を大きくすることができる。よって、薄型の液晶表示装置２０１を提供することができる。
【０１５０】
[第７実施形態]
図２２は、第７実施形態の液晶表示装置３０１の概略構成を示す斜視図である。
図２２に示すように、本実施形態の液晶表示装置３０１は、４つの液晶パネル３０２Ａ，３０２Ｂ，３０２Ｃ，３０２Ｄを備えたマルチディスプレイである。
なお、本実施形態において第４実施形態と共通する構成要素については、同じ符号を付し、詳細な説明は省略する。
【０１５１】
液晶表示装置３０１は、４つの液晶パネル３０２Ａ，３０２Ｂ，３０２Ｃ，３０２Ｄと、バックライト３６０と、光学フィルム３５０と、を備えている。
【０１５２】
４つの液晶パネル３０２Ａ，３０２Ｂ，３０２Ｃ，３０２Ｄの各々は、第１偏光板３と、第１位相差フィルム４と、液晶セル５と、第２位相差フィルム６と、第２偏光板７と、を備えている。
【０１５３】
液晶パネル３０２Ａの額縁部分３２０Ｂ１と液晶パネル３０２Ｂの額縁部分３２０Ｂ２とは隣接して配置されている。液晶パネル３０２Ｂの額縁部分３２０Ｂ２と液晶パネル３０２Ｃの額縁部分３２０Ｂ３とは隣接して配置されている。液晶パネル３０２Ｃの額縁部分３２０Ｂ３と液晶パネル３０２Ｄの額縁部分３２０Ｂ４とは隣接して配置されている。液晶パネル３０２Ｄの額縁部分３２０Ｂ４と液晶パネル３０２Ａの額縁部分３２０Ｂ１とは隣接して配置されている。
【０１５４】
４つの液晶パネル３０２Ａ，３０２Ｂ，３０２Ｃ，３０２Ｄが隣接して構成されたパネルの対角方向においては、液晶パネル３０２Ａの額縁部分３２０Ｂ１と液晶パネル３０２Ｃの額縁部分３２０Ｂ３とが隣接して配置されている。また、液晶パネル３０２Ｂの額縁部分３２０Ｂ２と液晶パネル３０２Ｄの額縁部分３２０Ｂ４とが隣接して配置されている。
【０１５５】
本実施形態では、４つの液晶パネル３０２Ａ，３０２Ｂ，３０２Ｃ，３０２Ｄの各々において、図２２に示す破線の方向に沿うように突起部の側面が形成されている。４つの液晶パネル３０２Ａ，３０２Ｂ，３０２Ｃ，３０２Ｄの各々の背面側には、図２２に示す破線と直交する方向に（各液晶パネル３０２Ａ，３０２Ｂ，３０２Ｃ，３０２Ｄに対応する突起部の側面に向けて）光が射出されるように（図２２に示す矢印Ｊ１〜Ｊ４）、バックライトが構成されている。
【０１５６】
図２３は、図２２のＤ−Ｄ’線に沿った断面図である。
図２３に示すように、バックライト３６０は、発光素子６１Ａ，６１Ｂと、箱体３６２と、レンズシート３６５と、を備えている。
【０１５７】
尚、本実施形態においては、箱体３６２及びレンズシート３６５の各々が一つの部材から構成されているが、これに限らない。箱体、レンズシートのうち少なくとも一方が、例えば４つの液晶パネル３０２Ａ，３０２Ｂ，３０２Ｃ，３０２Ｄの各々に対応するように４つの部材から構成されていてもよい。
【０１５８】
光学フィルム３５０は、基材３５１と、複数の突起部３５３と、遮光層３５２と、透明基板３５５と、を備えている。透明基板３５５は、例えばガラス基板であり、光学フィルム３５０の保護基板として機能する。
【０１５９】
複数の突起部３５３の各々は、基材３５１側に光入射端面３５３ａを有するとともに基材３５１側と反対側に光射出端面３５３ｂを有する。複数の突起部３５３の各々における空隙部３５４と接する側面３５３ｃは、光入射端面３５３ｂの外側に向けて傾斜している。
【０１６０】
具体的には、複数の突起部３５３のうち液晶パネル３０２Ａに対応する位置に配置された突起部３５３の側面３５３ｃは、液晶パネル３０２Ｃ側に向けて傾斜している（図２２に示す光学フィルム３５０のうち液晶パネル３０２Ａに対応する部分の破線参照）。液晶パネル３０２Ａに対応する位置の側面３５３ｃは、液晶パネル３０２Ａから斜め方向に射出された光（図２２に示す矢印Ｊ１）を液晶パネル３０２Ａの法線方向に向けて反射する面である。
【０１６１】
複数の突起部３５３のうち液晶パネル３０２Ｂに対応する位置に配置された突起部３５３の側面３５３ｃは、液晶パネル３０２Ｄ側に向けて傾斜している（図２２に示す光学フィルム３５０のうち液晶パネル３０２Ｂに対応する部分の破線参照）。液晶パネル３０２Ｂに対応する位置の側面３５３ｃは、液晶パネル３０２Ｂから斜め方向に射出された光（図２２に示す矢印Ｊ２）を液晶パネル３０２Ｂの法線方向に向けて反射する面である。
【０１６２】
複数の突起部３５３のうち液晶パネル３０２Ｃに対応する位置に配置された突起部３５３の側面３５３ｃは、液晶パネル３０２Ａ側に向けて傾斜している（図２２に示す光学フィルム３５０のうち液晶パネル３０２Ｃに対応する部分の破線参照）。液晶パネル３０２Ｃに対応する位置の側面３５３ｃは、液晶パネル３０２Ｃから斜め方向に射出された光（図２２に示す矢印Ｊ３）を液晶パネル３０２Ｃの法線方向に向けて反射する面である。
【０１６３】
複数の突起部３５３のうち液晶パネル３０２Ｄに対応する位置に配置された突起部３５３の側面３５３ｃは、液晶パネル３０２Ｂ側に向けて傾斜している（図２２に示す光学フィルム３５０のうち液晶パネル３０２Ｄに対応する部分の破線参照）。液晶パネル３０２Ｄに対応する位置の側面３５３ｃは、液晶パネル３０２Ｄから斜め方向に射出された光（図２２に示す矢印Ｊ４）を液晶パネル３０２Ｄの法線方向に向けて反射する面である。
【０１６４】
図２３に示すように、発光素子６１Ａから射出された光は、箱体３６２の内面３６２ｉで反射を繰り返し、キャビティ３６３の内部を導光する。キャビティ３６３内を導光する光は、箱体３６２の様々な内面３６２ｉで複数回反射した後、開口部６４に達する。そのため、開口部６４から様々な角度で光Ｌが射出される。開口部６４から射出された光は、レンズ６６に対して様々な角度で入射する。バックライト３６０のうち液晶パネル３０２Ａに対応する部分においては、レンズ６６の焦点に対して開口部６４の中心が発光素子６１Ａ側にずれた位置に配置されているため、レンズ６６に対して様々な角度で入射した光は、レンズ６６の光軸に対して液晶パネル３０２Ｃ側に斜めに傾いた方向の光に変換されてレンズ６６から射出される。
【０１６５】
一方、バックライト３６０のうち液晶パネル３０２Ｃに対応する部分においては、レンズ６６の焦点に対して開口部６４の中心が発光素子６１Ｃ側にずれた位置に配置されているため、レンズ６６に対して様々な角度で入射した光は、レンズ６６の光軸に対して液晶パネル３０２Ａ側に斜めに傾いた方向の光に変換されてレンズ６６から射出される。
【０１６６】
説明は省略するが、バックライト３６０のうち液晶パネル３０２Ｂに対応する部分、液晶パネル３０２Ｄに対応する部分においても同様の光路となる。
【０１６７】
本実施形態においては、図２３に示すように、液晶表示装置３０１のＲ１の位置の画素で表示された画像が、液晶表示装置３０１の視認側の面ではＲ２の位置で表示され、液晶表示装置３０１のＲ３の位置の画素で表示された画像が、液晶表示装置３０１の視認側の面ではＲ４の位置で表示される。そのため、観察者からは額縁部分３２０Ｂ１，３２０Ｂ２が観察されない。
【０１６８】
本実施形態の構成によれば、４つの液晶パネル３０２Ａ，３０２Ｂ，３０２Ｃ，３０２Ｄを備えたマルチディスプレイにおいて、第１実施形態と同様の効果を奏する。
さらに、４つの液晶パネル３０２Ａ，３０２Ｂ，３０２Ｃ，３０２Ｄによる映像は、一つの大きな映像として観察されるため、迫力のある大画面映像を継ぎ目なしで提供することができる。また、通常コストが高くなりがちな大画面ディスプレイを、比較的廉価であり且つ面積の小さいディスプレイの平面充填（タイリング）により実現することができる。
【０１６９】
[第８実施形態]
図２４は、第８実施形態の液晶表示装置４０１の概略構成を示す斜視図である。
図２４に示すように、本実施形態の液晶表示装置４０１は、４つの液晶パネル４０２Ａ，４０２Ｂ，４０２Ｃ，４０２Ｄを備えたマルチディスプレイである。本実施形態の光学フィルム４５０は、各液晶パネル４０２Ａ，４０２Ｂ，４０２Ｃ，４０２Ｄの４辺に沿って配置されている。
図２４においては、便宜上、バックライトの図示を省略している。なお、本実施形態において第７実施形態と共通する構成要素については、同じ符号を付し、詳細な説明は省略する。
【０１７０】
図２５（ａ）は、図２４のＥ−Ｅ’線に沿った断面図である。図２５（ｂ）は、図２５（ａ）の一点鎖線囲み部の拡大図である。図２５（ｃ）は、図２５（ａ）の二点鎖線囲み部の拡大図である。図２５（ｄ）は、図２５（ａ）の破線囲み部の拡大図である。
【０１７１】
図２５（ａ）に示すように、液晶表示装置４０１は、４つの液晶パネル４０２Ａ，４０２Ｂ，４０２Ｃ，４０２Ｄ（図２４参照）と、バックライト４６０と、光学フィルム４５０と、を備えている。バックライト４６０は、各液晶パネル４０２Ａ，４０２Ｂ，４０２Ｃ，４０２Ｄにおいて４辺付近で外周方向に強く光を射出するような配光分布を有している。
【０１７２】
図２５（ｂ）〜（ｄ）に示すように、光学フィルム４５０は、基材４５１と、複数の突起部４５３と、遮光層４５２と、保護フィルム４５５と、を備えている。保護フィルム４５５は、光透過性を有し、バインダー樹脂４５６の内部に、可視光を散乱する複数の散乱粒子４５７が分散されたものである。
【０１７３】
複数の突起部４５３の各々は、基材４５１側に光入射端面４５３ａを有するとともに基材４５１側と反対側に光射出端面４５３ｂを有する。複数の突起部４５３の各々における空隙部４５４と接する側面４５３ｃは、光入射端面４５３ｂの外側に向けて傾斜している。複数の突起部４５４の側面４５３ｃは、液晶パネルの各辺において異なる方向性を持って傾斜している。
【０１７４】
具体的には、図２５（ｂ）に示すように、液晶パネル４０２Ｂの４辺のうち液晶パネル４０２Ｃに隣接する辺に配置された突起部４５３の側面４５３ｃは、液晶パネル４０２Ｃ側に向けて傾斜している。当該側面４５３ｃは、液晶パネル４０２Ｂから斜め方向に射出された光（図２５（ａ）に示す矢印Ｚ１）を液晶パネル４０２Ａの法線方向に向けて反射する面である。
【０１７５】
図２５（ｃ）に示すように、液晶パネル４０２Ｂの４辺のうち液晶パネル４０２Ｃに隣接する辺と対向する辺に配置された突起部４５３の側面４５３ｃは、液晶パネル４０２Ｃとは反対側に向けて傾斜している。当該側面４５３ｃは、液晶パネル４０２Ｂから斜め方向に射出された光（図２５（ａ）に示す矢印Ｚ２）を液晶パネル４０２Ｂの法線方向に向けて反射する面である。
【０１７６】
図２５（ｂ）に示すように、液晶パネル４０２Ｃの４辺のうち液晶パネル４０２Ｂに隣接する辺に配置された突起部４５３の側面４５３ｃは、液晶パネル４０２Ｂ側に向けて傾斜している。当該側面４５３ｃは、液晶パネル４０２Ｃから斜め方向に射出された光（図２５（ａ）に示す矢印Ｚ３）を液晶パネル４０２Ｃの法線方向に向けて反射する面である。
【０１７７】
図２５（ｄ）に示すように、液晶パネル４０２Ｃの４辺のうち液晶パネル４０２Ｂに隣接する辺と対向する辺に配置された突起部４５３の側面４５３ｃは、液晶パネル４０２Ｂとは反対側に向けて傾斜している。当該側面４５３ｃは、液晶パネル４０２Ｃから斜め方向に射出された光（図２５（ａ）に示す矢印Ｚ４）を液晶パネル４０２Ｃの法線方向に向けて反射する面である。
【０１７８】
説明は省略するが、液晶パネル４０２Ｂの４辺のうち液晶パネル４０２Ａに隣接する辺に配置された突起部４５３の側面４５３ｃ、液晶パネル４０２Ｂの４辺のうち液晶パネル４０２Ａに隣接する辺と対向する辺に配置された突起部４５３の側面４５３ｃ、液晶パネル４０２Ｃの４辺のうち液晶パネル４０２Ｄに隣接する辺に配置された突起部４５３の側面４５３ｃ、液晶パネル４０２Ｄの４辺のうち液晶パネル４０２Ｄに隣接する辺と対向する辺に配置された突起部４５３の側面４５３ｃ、においても同様の構成を有する。
また、液晶パネル４０２Ａの４辺に配置された突起部４５３の側面４５３ｃ、液晶パネル４０２Ｄの４辺に配置された突起部４５３の側面４５３ｃにおいても同様の構成を有する。光学フィルム４５０は、各液晶パネル４０２Ａ，４０２Ｂ，４０２Ｃ，４０２Ｄの額縁部分の真上部分だけに配置されていても良いし、真上部分に限らず一部映像表示部分にも掛かるように配置されていても良い。
【０１７９】
このような構成により、本実施形態においては、図２４及び図２５（ａ）に示すように、観察者からは４つの液晶パネル４０２Ａ，４０２Ｂ，４０２Ｃ，４０２Ｄの額縁部分４２０Ｂ１，４２０Ｂ２，４２０Ｂ３，４２０Ｂ４が観察されない。
【０１８０】
以下、図２６（ａ）、（ｂ）を用いて本実施形態に係る光学フィルムの作用を説明する。
図２６（ａ）は、比較例に係る、４つの液晶パネルを備えたマルチディスプレイにおいて各液晶パネルの外周部に額縁部分を有する構成の課題を説明するための図である。
図２６（ｂ）は、本実施形態に係る光学フィルム４５０の作用を説明するための図である。
【０１８１】
図２６（ａ）に示すように、比較例の構成であると、観察者からは各液晶パネルの外周部の額縁部分が観察される。そのため、４つの液晶パネルによる映像を一つの大きな映像として観察する場合、額縁部分が観察されることにより映像の視認性が損なわれる原因となる。
【０１８２】
これに対し、本実施形態においては、図２６（ｂ）に示すように、上述した光学フィルム４５０の作用により、額縁部分の上からも映像が表示される。そのため、額縁部分が視認し難くなり、大画面映像を自然に視認することができる。
【０１８３】
以上説明したように本実施形態の構成によれば、４つの液晶パネル４０２Ａ，４０２Ｂ，４０２Ｃ，４０２Ｄを備えたマルチディスプレイにおいて、第７実施形態と同様の効果を奏する。
さらに、各液晶パネル４０２Ａ，４０２Ｂ，４０２Ｃ，４０２Ｄの外周部の額縁部分が観察されることを抑制できるため、迫力のある大画面映像を自然な形で提供することができる。
【０１８４】
なお、本実施形態においては、光学フィルム４５０が各液晶パネル４０２Ａ，４０２Ｂ，４０２Ｃ，４０２Ｄの4辺に配置された例を挙げて説明したが、これに限らない。マルチディスプレイにおいて視認の妨げになるのは中央部の額縁部分であるため、光学フィルム４５０が、マルチディスプレイ中央部の額縁部分を視認し難くするように配置されていてもよい。具体的には、光学フィルム４５０が、各液晶パネル４０２Ａ，４０２Ｂ，４０２Ｃ，４０２Ｄが互いに隣接する部分にのみ配置されていてもよい。
【０１８５】
[第９実施形態]
図２７（ａ）〜（ｃ）、図２８、図２９（ａ）〜（ｃ）は、突起部の断面形状のバリエーションを示す断面図である。
これらのバリエーションは、上述した各実施形態の光学フィルムの構成に適用可能である。
【０１８６】
図２７（ａ）に示す突起部７０の断面形状は平行四辺形である。突起部７０は、第１実施形態に係る突起部４１（図１１（ｂ）参照）に相当する。
図２７（ｂ）に示す突起部７１の断面形状は台形である。突起部７１は、第３実施形態に係る突起部４６（図１４（ｂ）参照）に相当する。
【０１８７】
図２７（ｃ）に示す突起部７２の断面形状は台形である。突起部７２の側面７２ｃと対向する面７２ｃ’は、光入射端面７２ａの外側に向けて傾斜している。突起部７２の光射出端面７２ｂの面積は、突起部７１の光射出端面７１ｂの面積よりも大きい。
この構成においても、より多くの光をより広い角度範囲で射出させることができる。
【０１８８】
図２８に示すように、複数の突起部７３には、側面７３ｃの傾斜角αが互いに異なる複数の突起部７３が含まれている。
この構成によれば、より多くの光をより広い角度範囲で射出させることができる。よって、視野角の広い液晶表示装置を提供することができる。
また、複数の突起部７３において側面７３ｃの傾斜角αに分布を持たせることにより、光学フィルムが光拡散性の特性を有するようになる。これにより、光が反射される方向が平均化されるため、表示の視野角が広くなる。
さらに、液晶表示装置上に光拡散性を有する光拡散フィルム等を配置する必要が無いため、一般的な光拡散フィルムが持つ後方散乱性が抑えられる。例えば、リビングルームのような明るい環境においても高コントラストの映像を提供できる。
【０１８９】
尚、図２８では、複数の突起部７３の各々の断面形状が台形であるが、これに限らず、複数の突起部の各々の断面形状が平行四辺形であってもよい。また、複数の突起部が、断面形状が台形の突起部と断面形状が平行四辺形の突起部を含んでいてもよい。
【０１９０】
図２９（ａ）に示す突起部７４は、側面７４ｃの一部が湾曲している。つまり、突起部７４の側面７４ｃは、直線部分と曲面部分とを有する。
図２９（ｂ）に示す突起部７５は、側面７５ｃの全体が湾曲している。つまり、突起部７５の側面７５ｃは、曲面となっている。
図２９（ｃ）に示す突起部７６は、側面７６ｃの全体が湾曲しており、側面７６ｃと対向する面７６ｃ’の全体が湾曲している。つまり、突起部７６の側面７６ｃ及び面７６ｃ’の双方は、曲面となっている。
このような構成においても、より多くの光を広い角度範囲で射出させることができる。
【０１９１】
以上、図面を参照しながら本発明に係る好適な実施形態について説明したが、本発明は上記の実施形態に限定されないことは言うまでもない。上記の実施形態において示した各構成部材の諸形状や組み合わせ等は一例であって、本発明の主旨から逸脱しない範囲において設計要求等に基づき種々変更可能である。
【０１９２】
表示装置の各構成要素の形状、数、配置、材料、形成方法等に関する具体的な記載は、上記の実施形態に限定することなく、適宜変更が可能である。例えば、上述した実施形態は、次までのいずれかの態様で実施することができる。
【０１９３】
（１）表示パネルと、前記表示パネルの一面に斜めに光を入射させる光源と、前記表示パネルの他面側に配置された光学フィルムと、を備え、前記光学フィルムが、光透過性を有する基材と、前記基材の一面に互いに隣接して形成された複数の光透過性を有する突起部と、を備え、前記突起部同士の間には空隙部が形成されており、前記基材の他面が前記表示パネルの他面と対向しており、前記複数の突起部の各々が、前記基材側に光入射端面を有するとともに前記基材側と反対側に光射出端面を有し、且つ、前記空隙部と接する側面の少なくとも一部が、前記光入射端面の外側に向けて傾斜もしくは湾曲しており、前記表示パネルから斜め方向に射出された前記光を前記表示パネルの法線方向に向けて反射する表示装置。
この構成によれば、表示パネルを斜めに通過した光が光学フィルムの突起部の側面で反射されて正面方向に折り曲げられる。光の反射現象を利用して光を曲げるため、光を曲げられる角度が大きくなる。よって、薄型の表示装置を提供することができる。また、突起部の光入射端面に入射した光は側面で全反射されることにより概ね全て光射出端面から射出される。よって、光源から射出された光を効率よく利用でき、明るい表示が可能となるとともに、迷光となる光が少なくなるので、高画質な表示が可能となる。
【０１９４】
（２）表示パネルと、前記表示パネルの一面に斜めに光を入射させる光源と、前記表示パネルの他面側に配置された光学フィルムと、を備え、前記光学フィルムが、光透過性を有する基材と、前記基材の一面に形成された光透過性を有する突起部と、を備え、前記突起部には複数の空隙部が互いに隣接して形成されており、前記突起部は、前記基材側に光入射端面を有するとともに前記基材側と反対側に光射出端面を有し、且つ、前記空隙部と接する側面の少なくとも一部が、前記光入射端面の外側に向けて傾斜もしくは湾曲しており、前記表示パネルから斜め方向に射出された前記光を前記表示パネルの法線方向に向けて反射する表示装置。
この構成によれば、表示パネルを斜めに通過した光が光学フィルムの突起部の側面で反射されて正面方向に折り曲げられる。光の反射現象を利用して光を曲げるため、光を曲げられる角度が大きくなる。よって、薄型の表示装置を提供することができる。また、突起部の光入射端面に入射した光は側面で全反射されることにより概ね全て光射出端面から射出される。よって、光源から射出された光を効率よく利用でき、明るい表示が可能となるとともに、迷光となる光が少なくなるので、高画質な表示が可能となる。
【０１９５】
（３）前記光学フィルムは、前記表示パネルを透過して前記基材の他面に斜めに入射した前記光を前記突起部の側面で全反射し、前記基材の法線方向から見たときの輝度が最も大きくなるような配光分布を有する光に変換する（１）または（２）に記載の表示装置。
この構成によれば、正面方向の明るさの大きい表示装置が提供できる。
【０１９６】
（４）前記光射出端面の面積が前記光入射端面の面積よりも大きい（１）から（３）までのいずれか１項に記載の表示装置。
この構成によれば、より多くの光をより広い角度範囲で射出させることができる。よって、視野角の広い表示装置を提供することができる。
【０１９７】
（５）前記基材の一面において前記突起部の形成領域以外の領域に遮光層が形成されている（１）から（４）までのいずれか１項に記載の表示装置。
突起部の形成領域以外の領域に入射した光は、迷光となって画質を劣化させる場合がある。突起部の形成領域以外の領域に遮光層を形成しておけば、このような迷光を抑制して画質を向上させることができる。
【０１９８】
（６）前記突起部を挟んで前記基材とは反対側に、光透過性を有する保護フィルムが設けられている（１）から（５）までのいずれか１項に記載の表示装置。
空隙部に異物が混入すると、突起部の側面での反射特性が損なわれることがある。突起部の上部に保護フィルムを設けることにより、空隙部に異物が混入することを抑制することができる。
【０１９９】
（７）前記保護フィルムの内部に、可視光を散乱する散乱粒子が分散されている（６）に記載の表示装置。
この構成によれば、光射出端面から射出された光を散乱粒子によって散乱することで、視野角の広い表示装置を提供することができる。
【０２００】
（８）前記光学フィルムと前記表示パネルとが空気層を挟んで対向配置されている（１）から（７）までのいずれか１項に記載の表示装置。
この構成によれば、光学フィルムと表示パネルとの距離を大きくしなくても、表示が横方向にスライドする距離を大きくすることができる。よって、薄型の表示装置を提供することができる。
【０２０１】
（９）前記表示パネルは液晶パネルであり、前記表示パネルの液晶層に一定の電圧を印加した場合にコントラストが大きくなる方位角方向と、前記光源から前記表示パネルに入射する光の指向性の強い方位角方向と、が概ね一致している（１）から（８）までのいずれか１項に記載の表示装置。
この構成によれば、表示パネルのコントラスト特性の優れた方位に光を入射させることができる。そのため、表示品位に優れた表示装置を提供することができる。
【０２０２】
（１０）前記突起部が、前記光源から前記表示パネルに入射する光の指向性の強い方位角方向と直交する方向に概ね長手方向を有している（１）から（９）までのいずれか１項に記載の表示装置。
この構成によれば、より多くの光を突起部の側面で反射することができる。よって、明るい表示装置を提供することができる。
【０２０３】
（１１）前記複数の突起部には、側面の傾斜角が互いに異なる複数の突起部が含まれている（１）から（１０）までのいずれか１項に記載の表示装置。
この構成によれば、より多くの光をより広い角度範囲で射出させることができる。よって、視野角の広い表示装置を提供することができる。
【０２０４】
（１２）光透過性を有する基材と、前記基材の一面に互いに隣接して形成された複数の光透過性を有する突起部と、を備え、前記突起部同士の間には空隙部が形成されており、前記複数の突起部の各々が、前記基材側に光入射端面を有するとともに前記基材側と反対側に光射出端面を有し、且つ、前記空隙部と接する側面の少なくとも一部が、前記光入射端面の外側に向けて傾斜もしくは湾曲している光学フィルム。
この構成によれば、光学フィルムに斜めに入射した光を突起部の側面で反射して突起部の光射出端面から射出することができる。光の反射現象を利用して光を曲げるため、光を曲げられる角度が大きくなる。よって、薄型の表示装置を提供することができる。また、突起部の光入射端面に入射した光は側面で全反射されることにより概ね全て光射出端面から射出される。よって、光源から射出された光を効率よく利用でき、明るい表示が可能となるとともに、迷光となる光が少なくなるので、高画質な表示が可能となる。
【０２０５】
（１３）光透過性を有する基材と、前記基材の一面に形成された光透過性を有する突起部と、を備え、前記突起部には複数の空隙部が互いに隣接して形成されており、前記突起部は、前記基材側に光入射端面を有するとともに前記基材側と反対側に光射出端面を有し、且つ、前記空隙部と接する側面の少なくとも一部が、前記光入射端面の外側に向けて傾斜もしくは湾曲している光学フィルム。
この構成によれば、光学フィルムに斜めに入射した光を突起部の側面で反射して突起部の光射出端面から射出することができる。光の反射現象を利用して光を曲げるため、光を曲げられる角度が大きくなる。よって、薄型の表示装置を提供することができる。また、突起部の光入射端面に入射した光は側面で全反射されることにより概ね全て光射出端面から射出される。よって、光源から射出された光を効率よく利用でき、明るい表示が可能となるとともに、迷光となる光が少なくなるので、高画質な表示が可能となる。
【０２０６】
（１４）前記基材の他面から斜めに入射した平行光を前記突起部の側面で全反射し、前記基材の法線方向から見たときの輝度が最も大きくなるような配光分布を有する光に変換する（１２）または（１３）に記載の光学フィルム。
この構成によれば、正面方向の明るさの大きい表示装置が提供できる。
【０２０７】
（１５）前記光射出端面の面積が前記光入射端面の面積よりも大きい（１２）から（１４）までのいずれか１項に記載の光学フィルム。
この構成によれば、より多くの光をより広い角度範囲で射出させることができる。よって、視野角の広い表示装置を提供することができる。
【０２０８】
（１６）前記基材の一面において前記突起部の形成領域以外の領域に遮光層が形成されている（１２）から（１５）までのいずれか１項に記載の光学フィルム。
突起部の形成領域以外の領域に入射した光は、迷光となって画質を劣化させる場合がある。突起部の形成領域以外の領域に遮光層を形成しておけば、このような迷光を抑制して画質を向上させることができる。
【０２０９】
（１７）前記突起部を挟んで前記基材とは反対側に、光透過性を有する保護フィルムが設けられている（１２）から（１６）までのいずれか１項に記載の光学フィルム。
空隙部に異物が混入すると、突起部の側面での反射特性が損なわれることがある。突起部の上部に保護フィルムを設けることにより、空隙部に異物が混入することを抑制することができる。
【０２１０】
（１８）前記保護フィルムの内部に、可視光を散乱する散乱粒子が分散されている（１７）に記載の光学フィルム。
この構成によれば、光射出端面から射出された光を散乱粒子によって散乱することで、視野角の広い表示装置を提供することができる。
【０２１１】
（１９）前記複数の突起部には、側面の傾斜角が互いに異なる複数の突起部が含まれている（１２）から（１８）までのいずれか１項に記載の光学フィルム。
この構成によれば、より多くの光をより広い角度範囲で射出させることができる。よって、視野角の広い表示装置を提供することができる。
【産業上の利用可能性】
【０２１２】
本発明は、表示装置に利用することができる。
【符号の説明】
【０２１３】
１，１０１，２０１，３０１，４０１…液晶表示装置（表示装置）、２，２Ａ，２Ｂ，１０２，３０２Ａ，３０２Ｂ，３０２Ｃ，３０２Ｄ，４０２Ａ，４０２Ｂ，４０２Ｃ，４０２Ｄ…液晶パネル（表示パネル）、８，６０，３６０，４６０…バックライト（光源）、９，５０，２５０，３５０，４５０…光学フィルム、３６，６１Ａ，６１Ｂ…光源、３９…基材、４０，５２，３５２，４５２…遮光層、４１，４１Ｅ，４１Ｆ，４１Ｇ，４６，５３，７０，７１，７２，７３，７４，７５，７６，３５３，４５３…突起部、４１ａ，４６ａ，５３ａ，７０ａ，７１ａ，７２ａ，７３ａ，７４ａ，７５ａ，７６ａ，３５３ａ，４５３ａ…光入射端面、４１ｂ，４６ｂ，５３ｂ，７０ｂ，７１ｂ，７２ｂ，７３ｂ，７４ｂ，７５ｂ，７６ｂ，３５３ｂ，４５３ｂ…光射出端面、４１ｃ，４６ｃ，５３ｃ，７０ｃ，７１ｃ，７２ｃ，７３ｃ，７４ｃ，７５ｃ，７６ｃ，３５３ｃ，４５３ｃ…側面、４２，４２Ｅ，４２Ｆ，４２Ｇ，５４，３５４，４５４…空隙部、２６０…空気層
【図１】
2014119562.tif 000003
【図２】
2014119562.tif 000004
【図３】
2014119562.tif 000005
【図４】
2014119562.tif 000006
【図５】
2014119562.tif 000007
【図６】
2014119562.tif 000008
【図７】
2014119562.tif 000009
【図８】
2014119562.tif 000010
【図１０】
2014119562.tif 000011
【図１１】
2014119562.tif 000012
【図１２】
2014119562.tif 000013
【図１３】
2014119562.tif 000014
【図１４】
2014119562.tif 000015
【図１５】
2014119562.tif 000016
【図１６】
2014119562.tif 000017
【図１７】
2014119562.tif 000018
【図１８】
2014119562.tif 000019
【図２０】
2014119562.tif 000020
【図２１】
2014119562.tif 000021
【図２２】
2014119562.tif 000022
【図２３】
2014119562.tif 000023
【図２４】
2014119562.tif 000024
【図２５】
2014119562.tif 000025
【図２６】
2014119562.tif 000026
【図２７】
2014119562.tif 000027
【図２８】
2014119562.tif 000028
【図２９】
2014119562.tif 000029
【図９】
2014119562.tif 000030
【図１９】
2014119562.tif 000031